(57)【特許請求の範囲】
【請求項１】
電磁コイルに囲繞された管柱シリンダ内を交互に働く磁力とばねの反発力により摺動往復自在で、逆止弁を備えた電磁プランジャを有するインライン形のポンプであって、
その流入側より入る液体のほぼ所定値に規制された静的圧力に重疊して、前記電磁コイルには、用途に対応して設定した断続パルス電流を付勢して電磁プランジャを作動させることにより、これを加圧し、波状衝撃的脈動を与えて、吐出側から噴流吐出させる構成となし、
かつ前記ポンプの吐出脈動に起因する流入側の脈流による流入側配管の振動を規制し、流入吐出効率を昂めるための作動隔膜による緩衝板を備えたアキュームレータを本体の前記流入側に一体に配設したことを特徴とする洗滌注液脈動発生装置用電磁ポンプ。
【請求項２】
前記電磁プランジャに備えた流入側の逆止弁の下流には吐出弁に代えてオリフィスを設け、かつ前記流入側からの圧力と、これに加わるポンプの流入衝程時の圧力とによって、前記逆止弁体の背部がその内嵌する弁筒の内側の流出孔を押圧して閉塞する場合があってもバイパスする流通路を弁筒の外側要部に穿設したことを特徴とする請求項１の洗滌注液脈動発生装置用電磁ポンプ。
【請求項３】
前記電磁プランジャのテーパーを付けた端部に臨み、これに対向する磁気ヘッドは、前記管柱シリンダの端部位において内嵌固定されて、該電磁プランジャの端面との間に磁気空隙を形成したことを特徴とする前記請求項１および請求項２に記載の何れか一つもしくは双方の洗滌注液脈動発生装置用電磁ポンプ。
【請求項４】
前記電磁ポンプの吐出側の下流端部位に、ポンプの吐出作用時に閉成して液体を吐出口から注出させ、その作用休止時に開成して、残溜液を水抜口からポンプの外部に排出させて、吐出口からの流出を防止する水抜き弁を設けたことを特徴とする請求項１、請求項２、請求項３記載の洗滌注液脈動発生装置用電磁ポンプ。
【発明の詳細な説明】
【０００１】
【発明の属する技術分野】
本発明は、温水洗滌便座、洗顔保健洗滌マッサージ等に用いられる洗滌剤も含む洗滌注液脈動発生装置用電磁ポンプに関し、容積形ポンプであるために、吐出液の脈動を抑制し、その平滑化を主眼として、これに対処していた従来の電磁プランジャポンプを、反対に波状で軟らかく衝撃的、すなわちパルス状刺激的な脈動を与えてノズルなどの吐出口から噴出させ、例えば洗滌注液による洗滌効果を昂めることに寄与するものである。
【０００２】
【従来の技術】
従来から、上記洗滌液噴射の洗滌便座には、水道と直結してその水圧を利用したり、或いは水槽からポンプにより加圧供給するもので、例えば特開平９−５３２６８号公報、特開平９−１１２４１７号公報等に開示された技術がある。
【０００３】
前記従来技術の後者のものは電磁ポンプの吐出圧力の平滑作用と蓄力作用を増すためにその吐出側にアキュームレータを配設している。
【０００４】
このほか、電磁ポンプは洗滌便座に利用される例として、実開平４−９７９８２号公報、給湯装置、ボイラ等に備えた石油燃焼機に利用される例として特許第２６５６６６３号、特許第２９１７２８８号各公報に開示され、枚挙に遑がないが、何れも電磁ポンプの欠点である吐出脈動を平滑化する手段としてポンプの吐出側にアキュームレータを付設している。そしてその吐出圧力は、洗滌便座に用いる場合には凡そ１kgf/cm2(0.098 ＭPa) に規制されている。
【０００５】
洗滌便座の主流をなす水道から給水するものも、その吐出圧力はこれとほぼ同程度の圧力に抑え、要すれば減圧弁、圧力不足であれば、昇圧ポンプも使用される。特に、中高層建物でその屋上に設置した給水タンクに地下の貯水槽から水道水などの清水をポンプアップして、これを階下の機器に配水するときに、そのポテンシャル(potential) ヘッドが大であれば、それによる静的圧力は減圧し、そのヘッドが小で圧力不足であれば、昇圧しなければならない。
【０００６】
水道水を水道管から直接受水したときには、水道水はポンプによって配水されているカイネテイック（Kinetic)、すなわち動的圧力を有するわけであるが、その圧力の脈動はほとんどないほど平滑化されているので、前記同様静的な圧力と見做してよい。
【０００７】
然して、従来の例えば洗滌便座に用いられる洗滌剤を含む洗滌液もしくは洗滌清水は何れもほとんど脈動の平滑されたもので、ポンプで供給されるものも同様であった。
【０００８】
【発明が解決しようとする課題】
上記したように、温水洗滌便座を例にとると、従来のものは、水道直結式とポンプ式の両種類があり、それぞれ一長一短があった。
【０００９】
すなわち前者は、
長所イ、水道水を使用するので、比較的静音である。
【００１０】
ロ、消費電力は少ない。
【００１１】
短所イ、中高層マンション等の屋上に給水タンクが設置された場合、場所によって水圧が相違し、水の流量に変動がある。
【００１２】
ロ、水圧が一定であるため洗滌感がなく、また洗滌効果も劣る。
【００１３】
後者は、
長所イ、ポンプにより水圧は一定に規制が容易である。
【００１４】
ロ、さらに水圧水量も加減できて洗滌能力は勝る。
【００１５】
短所イ、ポンプ作動音が比較的大である。
【００１６】
ロ、消費電力も比較的多くなる。
【００１７】
上記従来の方式は、何れも洗滌中は一定水圧であったので、洗滌効果は実験上悪く、用便後洗滌水を平均 1.1リットル必要とし、温水洗滌の場合は少なくとも1.2 リットルのタンクの満水量を所定の温度、すなわち30〜40℃に常時貯湯しておく必要があって、これが温度維持用の電熱ヒータの電力消費量も大である。
【００１８】
そして、さらにこのような1.2 リットルもの貯湯タンクの設置スペースも大となり、その他付属機器も含めて設置スペースはさらに大きくなり、市場で要望されている小形化省スペースの要求に反するところとなる。
【００１９】
なお、付言するならば、前記洗滌水をさらに多く使用したならば、貯湯が全部放出されて冷水が入り、これが加熱される遑もなく、そのまま吐出されて人体局部に触れ、特に寒期には不快感を与えるのみならず、感冒に罹るおそれもある。
【００２０】
さらに、上記した洗滌水を比較的多量に要する欠点を改良し節水する必要がある。
【００２１】
また、前記した洗滌における効果を高めるために、超音波洗滌や、断続的に衝撃波を与えて注水することが考えられるが、超音波洗滌にはその発生装置の費用のウエイトが高くなり、経済性が伴わない問題点がある。
【００２２】
また、断続的衝撃波を与えるためには、ロータリスライド形カット弁を利用する方法もあるが、普通のモータで駆動すると高速過ぎて実用に供し難く、設備も過大になる。また、パルスモータや電磁弁でオン−オフを繰り返すことも設備と費用の点で同様問題が残る。そして上記オン−オフの休止期間には、水の流れは完全に止まっているので、間歇的に局部に水鉄砲で注水されるような人によっては不快感となる。
【００２３】
また、前述したように衛生的な温水洗滌便座装置の市場のニーズに応えて、小形軽小化は計る上においてすべての付属機器のコンパクト化も必要であり、本発明の場合には、洗滌効果を高めかつ節水するために水道水などほぼ静圧のプラス圧力に重疊して、パルス状の衝撃的脈動を洗滌水に与えてこれを噴出させるのに電磁プランジャポンプを利用する場合には、その小形軽量化も必然的であり、しかもその吐出能力はむしろより効率的でなければならない。また、ポンプの振動による騒音の発生も抑制する必要がある。
【００２４】
さらに、温水洗滌便座について、その温水は温水タンク内に貯められており、使用時にこの温水がポンプによりノズル内に圧送されてその噴出孔から人体の局部に向けて噴出され、使用後はノズル内に残った温水は次第に冷え、再使用時には先ず冷えた水が噴出されるために、冷たく感じて不快感を覚えるという問題があった。
【００２５】
さらに、上記の残溜水は、厳寒地では冬期凍結して機器の破損を招くおそれもある。
【００２６】
上記残溜水放出の解決方法として、実開昭５９−１５６９７６号公報に開示の形状記憶合金製のコイルバネを利用したものや、実開平４−９７９８２号公報に開示のバキュームブレーカをポンプと一体に組み込んだ従来技術があるが、後述するような課題も残されている。
【００２７】
本発明は、敍上の諸問題を解決することを課題とする。
【００２８】
【課題を解決するための手段】
上記の課題を解決するために、本発明による電磁ポンプは、電磁コイルに囲繞された管柱シリンダ内を交互に働く磁力とばねの反発力により摺動往復自在で、逆止弁を備えた電磁プランジャを有するインライン形のポンプであって、その流入側より入る液体のほぼ所定値に規制された静的圧力に重疊して、前記電磁コイルには、用途に対応して設定した断続パルス電流を付勢して電磁プランジャを作動させることにより、これを加圧して波状衝撃的脈動を付与して、吐出側から噴流吐出させる構成となし、かつ前記ポンプの吐出脈動に起因する流入側の脈流による流入側の配管の振動を抑制し、流入吐出効率を昂めるための作動隔膜による緩衝板を備えたアキュームレータを本体の前記流入側に一体に配設したことを特徴とする。
【００２９】
さらに、前記電磁プランジャに備えた流入側の逆止弁の下流には、吐出弁に代えてオリフィスを設け、かつ前記流入側の圧力と、これに加わるポンプの流入衝程時の圧力とによって、前記逆止弁の背部がその内嵌する弁筒の内側の流出孔を押圧し閉塞する場合があっても、これをバイパスしている流通路が弁筒の外側要部に穿設してあるものであることを特徴とする。
【００３０】
また、さらに、前記電磁プランジャのテーパを付けた端部に臨み、これに対向する磁気ヘッドは、前記管柱シリンダの端部位において内嵌固定されて、該電磁プランジャの端面との間に磁気空隙を形成したことを特徴とする。
【００３１】
そして、電磁ポンプの吐出側の下流端部位に、ポンプの吐出作用時に閉成して、液体を吐出口から注水させ、その作用休止時に開成して残溜液を水抜口からポンプの外部に排出させて、吐出口からの流出を防止する水抜き弁を設けたことを特徴とするものである。
【００３２】
【発明の実施の形態】
以下、本発明の一実施の形態について添付した図面により説明するが、まずその前に、前記実施の形態の適用例として、前記衛生温水洗滌便座（図中、二点鎖線の枠内）の配管接続構成について図２によってこれを説明する。水道管もしくは清水井戸等から流入、汲入された水は、開閉弁３を介して中高層建物の例えば地下貯水槽４に溜められ、これから揚水ポンプ６、揚水開閉弁７、揚水管８を経て屋上などに設置された給水タンク９に入り、これから給水配管１０を経て配水される。このとき最上階などの水頭ｈが小で、水圧が例えばこの場合必要とする０．５kgf/cm2 よりも低いときには、加圧ポンプ１６で昇圧し、水頭Ｈが前記よりも過大であるときは、減圧弁１１で減圧し、配管、機器の流動抵抗を見込んで前記必要とする水圧よりも高めに設定する。
【００３３】
水道管１７から直接受水する場合もある。次に、前記洗滌便座の以下付属部材である、電磁弁１２から、瞬間沸形温水ヒータ１３によって前述したような３０〜４０℃の湯温に温められて、この温水が後述する図１の矢印ａのように、本発明の電磁ポンプ１（Ｐ）に入り、ここで後述する用途使用条件に対応して設定された断続パルス電流の付勢されることによって加圧された洗滌水は波状衝撃的脈動をもって、矢印ｂに示すようにノズルシリンダ１４に入り、ノズル１５から噴流吐出して、人体局部の洗滌、マッサージ等を行なうのである。
【００３４】
なお、前述の瞬間湯沸形の温水ヒータ１３は、貯湯タンクを必要としないので機器の省スペースとなるのみならず、貯湯を保温し維持するための電力も不要で省エネルギ的である。この温水ヒータ１３には、給水温度を検出する給水温度センサと、出湯温度を検出する出湯温度センサと、水量を検出する水量センサと、設定温度を設定する手段等を備え、ヒータに送る電流を制御する機能を備えることは必要である。
【００３５】
上記洗滌便座は、使用者の操作によって作動することは論を俟たないものである。
【００３６】
次に、図１によって本発明の電磁ポンプの一実施の形態を説明する。図１はその一部断面を示す拡大縦断説明図である。
【００３７】
ボビン３３に捲装した電磁コイル３４の軸心孔に挿嵌してこれに囲繞された管柱シリンダ３９内を、その上流側端部に嵌合する本体２０の要部と、その下流側端部位に嵌合する磁気ヘッド３５との間に、それぞれ保持ばね４０と戻しばね３６との間に挟持圧設されて摺動往復自在で、弁体４２を弁座４３に押圧閉塞している弁ばね４４を収めた弁筒４１を有する逆止弁５５を備えた電磁プランジャ３８は、前記電磁コイル３４へパルス状断続電流を付勢すると、そこに発生する断続した磁力と前記戻しばね３６の反発力とによって往復作動するように構成されている。
【００３８】
前記管柱シリンダ３９の下流側端部には、吐出口２４および水抜き弁５１を内蔵した吐出接手２３が接続される。
【００３９】
前記管柱シリンダ３９の上流端部は、流入口２２を有する流入接手２１と一体の本体２０に嵌合接続する。
【００４０】
前記電磁コイル３４は継鉄３１によって囲み、前記磁気ヘッド３５と、管柱シリンダ３９の上流側端部位近傍に外嵌する環状磁路３７と共に磁気回路の一部を形成している。
【００４１】
さらに、前記吐出接手２３、継鉄３１、電磁コイル３４のボビン３３、環状磁路３７および本体２０の要部は共に外枠鉄３２によって挟設固定されている。
【００４２】
本体２０の流入口２２近傍の要部にアキュームレータ５０を設ける。
【００４３】
アキュームレータ５０は、本体２０の要部に、作動隔膜の緩衝板２６を、緩衝板押さえ２７を介して蓋２９を取付けねじ３０をもって螺締結することで圧着固定してあり、その受圧背部には、アキュームレータばね２８を配設して緩衝板２６の受圧凹みの回復用に備えている。なお、このばね２８と緩衝板２６との間に、ばね座を介設することも差し支えない。
【００４４】
次に、前記電磁プランジャ３８に備えた逆止弁５５は図３に開示するように、弁筒４１内に収められた弁ばね４４により弁体４２が弁座４３に押圧されて閉塞している。後述する電磁プランジャ３８の復行程する管柱シリンダ３９へ液体の流入時には、ポンプの流入口２２から流入する前記流入液体の有する静的圧力に、さらに電磁プランジャ３８の復行程による液体の流入圧力が加わり、流量も増大するので、逆止弁５５の弁体４２がこの水流に押し上げられて、その背部がその内嵌する弁筒４１の内側の流出孔を閉塞することがあって、液体の下流側への流通を妨げることがある。それ故に、このような事態の発生を防止するために、液体をバイパスさせる流通路５２を前記弁筒の外側要部に穿設しておくものである。
【００４５】
なお、この逆止弁５５の下流には、吐出側逆止弁は設けず、これに代えて磁気ヘッド３５の下流側端部に流入口２２はもちろん、弁座４３の内径よりも断面積をはるかに少なくするために、さらに内径を小にしたオリフィス５３を設けた。
【００４６】
その理由は、ポンプの流入側からはプラスヘッドの水圧がもともと加わっており、電磁プランジャの復行程時には、該比較的小径のオリフィス５３による流動抵抗があって、吐出口２４、すなわち下流側からの逆流の影響は少ないからである。
【００４７】
また、インライン形で電磁プランジャが吐出プランジャをかねていて、逆止弁を内蔵した電磁ポンプは、図５に一部その断面を表す縦断説明図に示されるような環状磁極３５′が管柱シリンダ３９′の端部位に外嵌固定された、いわゆる磁気漏洩形の電磁プランジャポンプが大部分を占めている。すなわち、この形は、電磁コイルへ印加する電圧対ポンプの吐出圧力流量のいわゆる、対電圧流量特性が所定範囲帯域の電圧下においては、比較的安定している特性があり、電圧変動に対して流量変動が比較的少ない。そして液体を吸入する初期始動時などに電磁プランジャが磁気ヘッドを打撃する騒音と損傷発生のおそれもない利点がある。
【００４８】
しかし、環状磁極３５′が管柱シリンダ３９′に外嵌しているので、ポンプ全体が比較的大形となり、本発明の場合、その用途に供するのに小形化の要望に添えない。
【００４９】
なお、図５における符号は、図１と同等の部材にダッシュを付けたものである。
【００５０】
上記した理由により、本発明の電磁ポンプは小形化が必要なために、いわゆる内磁路形を選んだものである。
【００５１】
すなわち、その構成は、前記電磁プランジャ３８に対向する磁気ヘッド３５は、管柱シリンダ３９の端部位において内嵌固定されている。そして電磁プランジャ３８は前記対向する磁気ヘッド３５に臨む側の端部にテーパを付け、磁気ヘッド３５もこれに臨んで逆テーパを付けてあって、前記戻しばね３６と保持ばね４０とに挟支圧設された電磁プランジャ３８はその静止時に互いの端部の間に  ｇなる磁気空隙を有する。
【００５２】
前記電磁プランジャ３８の端部のテーパは約６０°の角度が最も磁気効率が高いとされており、実験上もこれが認められている。これに対向し臨む磁気ヘッド３５側の端面の逆テーパは、これよりも若干大なる角度とする必要がある。
【００５３】
何となれば、ポンプ始動の初期などの気体または液に気体の混入した場合には、液体の流動ならびに圧力による抵抗が減少して、電磁プランジャ３８がいわゆるオーバーシュートして、その端部が磁気ヘッド３５に衝突するいわゆる空打ち現象を発生し、互いに当接面部を損傷し、かつそのために嵌着して離脱不能になるおそれがあるからである。この内磁路形の電磁ポンプは、この前記衝突によるチャタリングの騒音の発生しやすい欠点があるが、本発明の前記使用例、すなわち流入側から所定の静的圧力を有する液体を、さらにポンプで加圧して噴出させる場合には、すでにポンプ内に圧力を有する液体が充満してさえいれば、前記空打ちの機会は少なくなり、さらにポンプの必要とする吐出圧力と流量に対してその吐出性能に余猶があるときには、戻しばね３６の反発力を高めることによっても、この空打ち現象は阻止可能である。
【００５４】
そして、この形の電磁ポンプは磁気ヘッド３５と電磁プランジャ３８とが磁気空隙ｇをもって対向して、管柱シリンダ３９内で磁気回路を形成しようとしているので、図５に示すいわゆる磁気漏洩形の電磁ポンプよりも磁気効率がよく、吐出性能に比較して小形に纏めることができて、省スペースかつ廉価経済的である。それ故に、本発明では、図１に示すこの形の電磁ポンプを選ぶ。
【００５５】
次に、吐出接手２３に設けた水抜き弁５１に関して説明する。図４は、図１のＡ−Ａ断面の説明図である。吐出接手２３の端部位に嵌設固定した水抜き口２５を有する水抜き弁座４７を閉塞勝手に水抜き弁体４６が係設されている。水抜き弁体４６に外接し、複数の、すなわち図５においては４箇所に凸條の弁体ガイド４８が弁体４６を収める吐出接手２３の内洞の内周壁にその軸心に平行して形成されている。
【００５６】
前記発明が解決しようとする課題の欄における温水洗滌便座使用後の残溜水放出について、以下さらに、その放出機構すなわち水抜き弁５１の作用に関してこれを説明する。
【００５７】
水抜き弁５１において、温水洗滌便座を使用して温水すなわち前記３０〜４０℃の湯が吐出接手２３内に流入して、その温度が保持されているときには、水抜き弁体４６を水抜き弁座４７に押圧勝手の形状記憶合金をもってなるコイルばねであるＳＭＡばね４５は、このばねと共に水抜き弁体４６をその背部から挟支圧設されているバイアスばね４９によって、常温もしくは冷水残溜時の前記温度よりも低いときには、その反発力で押縮められて水抜き弁座４７を開き、水抜口２５を開口して残溜水を矢印Ｃの如く放出し終わっていたものが、温水の前記温度によって加熱されて、前記バイアスばね４９を逆に圧縮してＳＭＡばね４５がその捲製時の形状記憶によりもとの形に戻り、すなわち伸長する。そのために、水抜弁座４７は水抜弁体４６により閉塞され、温水は吐出口２４から矢印ｂのようにポンプにより吐出され、ついでノズルシリンダ１４を経てノズル１５から噴出し、洗滌作用を行なう。
【００５８】
この便座の使用後、温水の吐出を終了すれば、再び冷却されてＳＭＡばね４５はバイアスばね４９によって押し縮められて、水抜弁体４６は水抜弁座４７を開成して、前記残溜水は水抜口２５から放出されて水抜弁５１はその役目を果たすものである。
【００５９】
ＳＭＡばね４５は形状記憶合金（Shape Memory Alloy) の頭文字をとったものである。この場合、この形状記憶合金はＮｉ−Ｔｉ系素材を用いた。
【００６０】
なお、水抜弁５１の水抜弁体４６が水抜弁座４７を開成するとき、その開離寸法、すなわちリフトは水抜口２５の直径の１／４であればよいので、水抜口２５の直径を仮に４mmとしても前記リフトは少なくとも1 mmあればよいことになり僅少である。したがって、ＳＭＡばね４５が温水通過時に伸長して充分水抜弁体４６が水抜弁座４７を閉成し、温水吐出終了後の温度低下時に収縮して水抜弁５１を開成させ、少なくとも前記僅少のリフトを確保できる形状記憶合金を利用可能であれば、前記バイアスばねを省くことができる。
【００６１】
また、前記した温水洗滌便座の場合にポンプの流入側から予め静的圧力をもつ流入液が流入しているときには、その圧力によって水抜弁体４６が水抜弁座４７を押圧閉塞可能の筈であるが、その流入圧力が場合によって低くなることもあり、またポンプの吸入衝程時の圧力低下変動によって弁体のいわゆるバタツキと騒音発生となることがあり、これを避けるためにも前記ＳＭＡばね４５の介設を必要とするのである。しかし、水抜口２６端部の水抜弁座４７の断面積を比較的小にして、これを押圧する水抜弁体４６の背部に加わる圧力が低くても弁を閉成し続け得るような前記断面積の弁座直径寸法を選び、前記バタツキ、騒音や水漏れの防止策とすることも考えられる。
【００６２】
酷暑の時季で、雰囲気温度が前記３０℃を超えるときは、ＳＭＡばね４５が伸長して水抜弁体４６が水抜弁座４７を押圧閉塞しているが、このときに洗滌を開始してもはじめに吐出する液体はすでに温まっているから、冷水による不快感の弊害は発生せず、またもともと凍結のおそれも無い。
【００６３】
図１に示す水抜弁体４６は、ＳＭＡばね４５とバイアスばね４９に直接互いに相反する方向から挟支圧設されているが、これを水抜弁体４６の取付け部材をして前記両ばねの間に圧設しても差し支えない。
【００６４】
さらに、ＳＭＡばね４５は、バイメタル或いは感熱温度により収縮または膨張する流体を封入したベローズ等をもって代えて水抜弁５１を構成することも考えられる。
【００６５】
また、さらに水抜弁５１は通電閉電磁弁をもって構成し、洗滌時のみ閉成させ、常時は開成させて残溜水を放出させておくこともできる。
【００６６】
次に、本発明による電磁ポンプの作用の特徴について説明する。
【００６７】
先に述べたように、例えば流入側から減圧弁１１によって予め所定値近傍に規制された圧力０．５kgf/cm2 （ビル、マンション等中高層建物においては、配水系路、数多の蛇口や機器の用途における水使用の状態によっても若干の余猶を見込まなければならない）以上の静的流動圧力液体が電磁弁１２の開成により、瞬間沸形温水ヒータ１３で加熱された温水はここを経て、電磁ポンプ１の流入接手２１の流入口２２から矢印ａのように本体２０に流入する。
【００６８】
このときの液体、すなわち水道水の圧力は図６の（ａ）によって示される。横軸に時間ｔm sec をとり、縦軸に圧力Ｐkgf/cm2 をとってある。圧力は前述の理由でやや高めの０．７〜０．７５kgf/cm2 を示している。圧力波形に変化があるのは、前記した建物内の配水系路の水消費量の変動と、減弁弁等機器の特性、配管機器の流動特性等に起因するものと考えられる。
【００６９】
因に、このとき給水タンク９は建物５階の屋上に設置し、減圧弁１１は２階で水頭Ｈは約１２ｍであった。
【００７０】
電磁コイル３４へ付勢する断続パルス電流は、このときの平常の局部洗滌時の周波数は７１．７ＨZ で、これは多くの実験の結果定められたものである。その付勢電流時のポンプの吐出圧力波形は、図６の（ｂ）に示される。
【００７１】
これも同じく横軸に時間ｔｍｓｅｃをとり、縦軸に圧力Ｐkgf/cm2 をとってある。
【００７２】
周期中の導通期間は凡そ５ｍｓｅｃ程度である。
【００７３】
なお、上記局部洗滌のソフトな軟洗滌時には、上記付勢電流の周波数は７６Hzとし、このような温水洗滌便座が多くの場合有する他の局部洗滌時の付勢電流の周波数は、なお一層ソフトな軟洗滌に適するように例えば９９．９Ｈz に規制されている。
【００７４】
そして、図６の（ｂ）の線図で明らかなように、流入圧力に重疊して電磁ポンプ１で加圧した波状衝撃的脈動を与え、矢印ｂのように吐出口２４からノズルシリンダ１４を経てノズル１５から噴流吐出するときの圧力はほぼ1.8kgf/cm2の波高値が示されている。
【００７５】
前記残溜水の処理等に関する水抜弁５１の構成と作用については前述した通りである。
【００７６】
電磁ポンプ１の前記断続パルス電流を電磁コイル３４に付勢することで、電磁プランジャ３８が往復作動してポンプ作用を行なう点に関しては、殊更説明するまでもなく、前記従来技術の文献にも記載されている事項であるから、省略する。
【００７７】
ただ、従来の電磁ポンプには、必要がなかったポンプの流入側にアキュームレータ５０をその本体２０に一体に付設したその必要性について以下これを説明する。
【００７８】
先にも述べたように、本発明による電磁ポンプは従来の洗滌水ポンプの吐出圧力を平滑することを必要とするものとは異なり、パルス状脈動を与えてノズルから噴出させ洗滌効果を高めるものであるから、当然吐出側にアキュームレータは不要である。しかしながら、流入側にプラスの静圧が加わっているにかかわらず、電磁プランジャ３８の電磁コイル３４への通電された磁力の吸引による往衝程時には、吐出作用に伴う管柱シリンダ３９への吸引作用も同時に行なわれ、そのためにポンプの流入口側も脈動による背圧を生じ、流入側に接続した配管系統に伝播、振動を発生するので、この振動およびそれによる騒音の発生を防止するために、該脈動を吸収するアキュームレータ５０を備えたもので、このアキュームレータ５０は作動隔膜の緩衝板２６の前記脈動の緩衝作用と、電圧吸収分を吐き出す畜力作用を伴い、前記吐出圧力波形の1.8kgf/cm2のうちには、0.2kgf/cm2の増圧分が加わっていることが実験上確かめられた。
【００７９】
この本体２０の流入側に一体に配設したアキュームレータ５０によって、ポンプの吐出性能が高まったものである。
【００８０】
しかして、ポンプの流入側に加わる前記圧力とさらにポンプの波状衝撃的脈動する吐出圧力を重疊して洗滌注水を噴出させることにより洗滌効果が高まり、前記したように従来の洗滌水は１回に約１．１リットルを必要としたものが、その４０％の約４５０ミリリットルで足りるようになったことが多数回の実験で証明され、節水の効果も同時に得たものである。
【００８１】
以上、本発明の電磁ポンプをその利用例の一つとして温水洗滌便座によって、これを説明したが、これに限るものではなく、先にも述べたように、洗顔美容、口腔衛生洗滌、保険マッサージ、器物の洗滌剤溶液添加注液等を含む洗滌用などの用途が考えられるものである。
【００８２】
さらに、このほか、薬液などおよびもしくはこれを添加した清水などの液体を、前記同様のポンプ作用により吐出させて、手など人体局部或いは器物等の殺菌、消毒、洗浄などに利用することができるものである。
【００８３】
【発明の効果】
以上詳述したように、本発明による洗滌注液脈動発生装置用電磁ポンプは、次に述べるような効果を奏する。
【００８４】
（ａ）特許請求の範囲請求項１に記載の通り、ポンプの流入側から入る液体のほぼ所定値に規制された脈動のほとんどない静的圧力に重疊して、電磁コイルに、ポンプの用途に応じて設定した断続パルス電流を付勢して電磁プランジャを作動させることにより、これを加圧して波状衝撃的脈動を与えて吐出側から噴流吐出させる構成としたことによって、例えばこのポンプを衛生温水洗滌便座などの用後、人体局部洗滌水の吐出用として利用したときに洗滌効果を高め、かつ洗滌水を従来のものの、４０％程度に抑え、節水を可能とした。
【００８５】
（ｂ）前記ポンプの本体の流入側に一体に、緩衝板を備えたアキュームレータを配設したことによって、ポンプの吐出脈動に起因し、かつこれに伴う管柱シリンダへの吸引作用も同時に行なわれるので、そのために、ポンプの流入口側にも前記脈動による背圧を生じたときに、流入側に接続した配管系統に伝播する脈動による振動を吸収して緩衝作用を行い、騒音発生を防止する。また、さらに、緩衝時の受圧吸収分を吐出作用時に吐き出す畜力作用の効果によって前記したようにポンプの吐出能力を高めている。
【００８６】
（ｃ）前記電磁プランジャに備えた流入側の逆止弁の下流には、通常備えるべき吐出弁を省き、これに代えて比較的小径のオリフィスを設けて構成を簡素にし、また前記逆止弁の逆止弁体を収めた弁筒の内部からその外側要部に穿設した流通路により、弁筒の内側の流出孔を前記逆止弁体の背部が電磁プランジャの衝程時の圧力によって押圧閉塞しようとするときのバイパス路としてあり、流体の前記流出を妨げることなく吐出作用を行なうことができる。
【００８７】
（ｄ）また、さらに、前記電磁プランジャのテーパを付けた端部に臨み、これに対向する磁気ヘッドは、前記管柱シリンダの端部位において内嵌固定されていて、前記電磁プランジャの端面との間に磁気空隙を形成した、いわゆる内磁路形で、磁気漏洩形と磁路の構成が相違していて、磁気回路のロスが少ないから、ポンプの出力が比較的高く、しかも小形軽量化を計ることができて、このポンプの取付け省スペースにより応用機器の小形化に寄与することができる。
【００８８】
（ｅ）さらに、前記電磁ポンプの吐出側下流端部位に、ポンプの正常吐出作用時には開成して液体を吐出口から注出させ、該吐出作用の停止および休止時には開成して、ポンプ内部等の残溜液を水抜口からポンプの外部に排出させて、前記吐出口からの流出を防止する水抜弁を設けたので、このポンプを例えば衛生温水洗滌便座の洗滌水吐出用に利用したときに、その洗滌作用を終了し、ポンプの吐出停止時に、前記残溜液が冷却され、これが再起動時に人体局部に噴射されて冷たく感じた不快さを覚えたり、また寒冷時に残溜液の凍結による機器の破損のおそれも無くなった。
【００８９】
（ｆ）本発明の電磁ポンプは、前記した衛生温水便座の洗滌水吐出用のみならず、洗顔美容、口腔衛生洗滌、保険マッサージ、器物の洗浄剤溶液添加、注液等を含む、洗浄用などに利用して洗浄効果を高め、節液節水を計ることができる。
【００９０】
さらに、このほか、薬液などおよびもしくは、これを添加した清水などの液体を、前記同様のポンプ作用により吐出させて、手等人体局部或いは器物などの殺菌、消毒、洗浄などに利用することができるものである。
【図面の簡単な説明】
【図１】  本発明の電磁ポンプの一実施の形態の一部断面を表す拡大縦断説明図である。
【図２】  本発明の図１に示す一実施の形態の電磁ポンプの適用例である温水洗滌便座の配管接続を含む構成図である。
【図３】  図１に示す電磁ポンプの電磁プランジャに備えた逆止弁の縦断説明図である。
【図４】  図１のＡ−Ａ断面を示した水抜弁の弁体ガイド等を表した横断説明図である。
【図５】  従来技術に属する電磁ポンプの一部断面を表す縦断説明図である。
【図６】  （ａ）電磁ポンプの流入側に加わるきわめて脈動の少ない静的圧力を有する水道水の圧力特性を示す線図である。
（ｂ）  図６（ａ）の静的圧力を有する水道水を図１の電磁ポンプで加圧し、波状衝撃的脈動を与えたときの吐出圧力波形線図である。
【符号の説明】
１                    電磁ポンプ
２０                    本体
２１                    流入接手
２２                    流入口
２３                    吐出接手
２４                    吐出口
２５                    水抜口
２６                    緩衝板
３１                    継鉄
３２                    外枠鉄
３３                    ボビン
３４                    電磁コイル
３５                    磁気ヘッド
３６                    戻しばね
３７                    環状磁路
３８                    電磁プランジャ
３９                    管柱シリンダ
４０                    保持ばね
４１                    弁筒
４２                    弁体
４３                    弁座
４４                    弁ばね
４５                    ＳＭＡばね
４６                    水抜弁体
４７                    水抜弁座
４８                    弁体ガイド
４９                    バイアスばね
５０                    アキュームレータ
５１                    水抜弁
５２                    流通路
５３                    オリフィス
５５                    逆止弁
【図１】
0004169306.tif 000002
【図２】
0004169306.tif 000003
【図３】
0004169306.tif 000004
【図４】
0004169306.tif 000005
【図５】
0004169306.tif 000006
【図６】
0004169306.tif 000007